(57)【要約】【課題】配線・配管保護部材の施工途中において、蛇腹の必要長さが長すぎた場合は勿論、短すぎた場合においても作業にロスが生じることなく、容易に延長可能で、自然な曲がり曲線の得られる配線・配管保護部材を提供する。  【解決手段】屈曲自在の蛇腹部４を備えた筒体２と、その両端に設けられた２つの連結具３とからなる配線・配管保護部材１であって、筒体２は一端と他端に他の筒体２の他側端部を接続可能な一端側接続口５と、他端側接続口６とを有する。また、連結具３は、一方側に保護カバー４０の端部が内挿される第１受け口５０と、他方側に筒体の端部が内挿されて抜け止め状態に接続可能な第２受け口５１とが設けられる。そして、筒体２を蛇腹部４の任意位置で切断し、長さを短く調整した際に、当該長さを短く調整した筒体２の蛇腹部４の端部を抜け止め状態に接続する。【選択図】図７
2010065735.tif 000002
【特許請求の範囲】
【請求項１】
外面が波状に形成されて内部に挿通された配線・配管材の屈曲配設経路を構成可能な屈曲自在の蛇腹部を備えた筒体と、
前記筒体の両端にそれぞれ設けられて筒体と他の配線・配管材保護カバーとを連結する２つの連結具と、からなる配線・配管保護部材であって、
前記筒体は、一端と他端にそれぞれ他の筒体の他側端部を接続可能な一端側接続口と他端側接続口とを有し、
前記連結具は、一方側に前記配線・配管材保護カバー端部が内挿されて連結可能な第１受け口が設けられるとともに、
他方側に前記筒体の端部が内挿されて抜け止め状態に接続可能な第２受け口が設けられ、さらに、前記筒体を蛇腹部の任意位置で切断し、長さを短く調整した際に当該長さを短く調整した筒体の蛇腹部の端部を抜け止め状態に接続可能であることを特徴とする配線・配管保護部材。
【請求項２】
前記連結具の第２受け口には、内挿された前記筒体の端部を抜け止め状態に接続すべく係止する抜止係止部が設けられ、当該抜止係止部は、前記長さを短く調整した筒体の蛇腹部の端部に係止して抜け止め状態に接続可能であることを特徴とする請求項１記載の配線・配管保護部材。
【請求項３】
前記筒体の一端側接続口は、蛇腹部側に端部よりも小径筒となった段部を備えるとともに、前記他の筒体の他端側接続口内に内挿可能であり、
前記他端側接続口は、その端部側に前記段部に掛止め可能な掛止部が設けられていることを特徴とする請求項１又は２記載の配線・配管保護部材。
【請求項４】
前記筒体の一端側接続口は、前記他の筒体の他端側接続口に内挿して接続すべく内方へと圧縮変形が可能であること特徴とする請求項１〜３のいずれかに記載の配線・配管保護部材。
【請求項５】
前記連結具は、建物壁等に固定される固定部を備えた基台と、該基台に組み立てられる蓋体２１とからなることを特徴とする請求項１〜４のいずれかに記載の配線・配管保護部材。
【請求項６】
前記連結具の第１受け口の奥方には、内挿された保護カバー端面に当接して所定以上の入り込みを規制する規制当接部が設けられていることを特徴とする請求項１〜５のいずれかに記載の配線・配管保護部材。
【請求項７】
前記筒体の蛇腹部から延出した接続口の軸方向長さは、蛇腹部のピッチの２倍以下の長さであることを特徴とする請求項１〜６のいずれかに記載の配線・配管保護部材。
【発明の詳細な説明】
【技術分野】
【０００１】
本発明は、例えば配線、配管材等を蛇腹部の内部に挿通するとともに、外部から保護して屈曲自在の配設経路を形成する配線・配管保護部材に関する。  
【背景技術】
【０００２】
従来より、建物の壁面に沿って配線・配管材が布設される場合は、この配線・配管材を内部に収容して保護すべくその外側に保護ダクトが壁面に沿って配設される。
【０００３】
保護ダクト等は、一般には剛体状に形成され、例えば、桶状や板状のベース部材とカバー部材との２分割体で構成され、配線・配管材が壁面に沿って布設される前または布設された後に、ベース部材が壁面に固定され、このベース部材上に配線・配管材が配置された状態でカバー部材が上方から嵌合されるなどの手段によって前記ベース部材に取り付けられる。保護ダクト等は、建物の壁面の状況、配線・配管材の布設経路の状況などに応じて、直線状のものを基本に、これに直角に屈曲したエルボ状のものが組み合わされて配設されている。
【０００４】
ところが、施工面が複雑な凹凸や曲面となっている箇所、配線・配管材の布設経路が交差する箇所や長さ方向の位置合わせが必要な箇所などでは、前記直線状の保護ダクトとエルボ状の保護ダクトとの組み合わせのみでこれらの箇所に対して配設し、配線・配管材を覆って保護することは一般に困難である。
【０００５】
そこで、このような箇所に対しては、屈曲自在な蛇腹状の保護カバーが使用されている。この保護カバーは、全体を任意の曲率で湾曲させたり、捩ったり、長手方向に伸縮させるなどして、任意の曲がり部や経路の交差部等の形態に応じて経路途中に組み込むことができ、これらの箇所における配線・配管材を保護することができる。蛇腹状の保護カバーとしては、例えば、特許文献１や特許文献２に記載されたものが知られている。
【０００６】
しかし、前記蛇腹状の保護カバーは、一般に比較的短いため、蛇腹部を伸張させても、曲がり部や交差部等が長い距離に形成されている箇所には対応することができなかった。また、上記特許文献記載の保護カバーにあっては、蛇腹状の両端に直線状の保護ダクトと直接接続するための連結部、又は、他の連結具を装着して接続するための連結部が設けられているが、長さを短くするために切断すると、直線状の保護ダクトと接続することができなくなってしまう。
【０００７】
なお、これらの曲がり部や交差部等の箇所の長さに対応して全長が異なる複数種類の保護カバーを備えることはコスト的に不経済である。
【特許文献１】特開平１０−６８５３６号公報（図９）
【特許文献２】特開２００１−８２６７８号公報（段落００１５、図１０）
【発明の開示】
【発明が解決しようとする課題】
【０００８】
本発明は、上記事情に鑑みてなされたもので、蛇腹を必要とする配線・配管保護部材の施工途中において、施工現場における蛇腹の必要長さが長すぎた場合は勿論のこと、短すぎた場合においても今までの作業にロスが生じることなく、容易に蛇腹の延長が可能で、しかも配線・配管経路に屈曲部分があっても自然な曲がり曲線の得られる配線・配管保護部材を提供することを目的とする。
【課題を解決するための手段】
【０００９】
上記課題を解決するため、請求項１に係る配線・配管保護部材は、外面が波状に形成されて内部に挿通された配線・配管材の屈曲配設経路を構成可能な屈曲自在の蛇腹部を備えた筒体と、前記筒体の両端にそれぞれ設けられて筒体と他の配線・配管材保護カバーとを連結する２つの連結具と、からなる配線・配管保護部材であって、
前記筒体は、一端と他端にそれぞれ他の筒体の他側端部を接続可能な一端側接続口と他端側接続口とを有し、前記連結具は、一方側に前記配線・配管材保護カバー端部が内挿されて連結可能な第１受け口が設けられるとともに、他方側に前記筒体の端部が内挿されて抜け止め状態に接続可能な第２受け口が設けられ、さらに、前記筒体を蛇腹部の任意位置で切断し、長さを短く調整した際に当該長さを短く調整した筒体の蛇腹部の端部を抜け止め状態に接続可能であることを特徴とする。
【００１０】
請求項２に係る配線・配管保護部材は、請求項１記載の配線・配管保護部材において、前記連結具の第２受け口には、内挿された前記筒体の端部を抜け止め状態に接続すべく係止する抜止係止部が設けられ、当該抜止係止部は、前記長さを短く調整した筒体の蛇腹部の端部に係止して抜け止め状態に接続可能であることを特徴とする。
【００１１】
請求項３に係る配線・配管保護部材は、請求項１又は２記載の配線・配管保護部材において、前記筒体の一端側接続口は、蛇腹部側に端部よりも小径筒となった段部を備えるとともに、前記他の筒体の他端側接続口内に内挿可能であり、前記他端側接続口は、その端部側に前記段部に掛止め可能な掛止部が設けられていることを特徴とする。
【００１２】
請求項４に係る配線・配管保護部材は、請求項１〜３のいずれかに記載の配線・配管保護部材において、前記前記筒体の一端側接続口は、前記他の筒体の他端側接続口に内挿して接続すべく内方へと圧縮変形が可能であること特徴とする。
【００１３】
請求項５に係る配線・配管保護部材は、請求項１〜４のいずれかに記載の配線・配管保護部材において、前記連結具は、建物壁等に固定される固定部を備えた基台と、該基台に組み立てられる蓋体とからなることを特徴とする。
【００１４】
請求項６に係る配線・配管保護部材は、請求項１〜５のいずれかに記載の配線・配管保護部材において、前記連結具の第１受け口の奥方には、内挿された保護カバー端面に当接して所定以上の入り込みを規制する規制当接部が設けられていることを特徴とする。
【００１５】
請求項７に係る配線・配管保護部材は、請求項１〜６のいずれかに記載の配線・配管保護部材において、前記筒体の蛇腹部から延出した接続口の軸方向長さは、蛇腹部のピッチの２倍以下の長さであることを特徴とする。
【発明の効果】
【００１６】
請求項１に係る配線・配管保護部材によれば、筒体は、一端と他端にそれぞれ他の筒体の他側端部を接続可能な一端側接続口と他端側接続口とを有する。
【００１７】
また、連結具は、一方側に配線・配管材保護カバー端部が抜け止め状態に連結可能な第１受け口と、他方側に筒体の端部が抜け止め状態に接続可能な第２受け口とを有し、さらに、筒体を蛇腹部の任意位置で切断し、長さを短く調整した際に当該長さを短く調整した筒体の蛇腹部の端部を抜け止め状態に接続可能である。
【００１８】
したがって、配線・配管保護部材の配管経路において、蛇腹部の長さを短く切り縮める場合は、当該長さを短く調整した筒体の蛇腹部の端部を抜け止め状態に接続可能である。
【００１９】
一方、施工途中において、蛇腹部の長さを長く延長する場合は、筒体は一端と他端にそれぞれ他の筒体の他側端部を接続可能な一端側接続口と他端側接続口とを有するので、筒体の一端側接続口に他の筒体の他端側接続口を接続するか、或いは筒体の他端側接続口に他の筒体の一端側接続口を接続することで、新たな連結具を要することなく、容易に延長することができる。したがって、今までの作業にロスを生じることなく延長作業ができる。
【００２０】
請求項２に係る配線・配管保護部材によれば、請求項１の配線・配管保護部材の効果に加えて、連結具の第２受け口には、内挿された前記筒体の端部を抜け止め状態に接続すべく係止する抜止係止部が設けられ、当該抜止係止部は、前記長さを短く調整した筒体の蛇腹部の端部に係止して抜け止め状態に接続可能であるため、筒体の接続口を接続する際にも、長さを短く調整した筒体の蛇腹部の端部を接続する際にも、同じ抜止係止部を用いることができて、構成が簡略化できる。
【００２１】
請求項３に係る配線・配管保護部材によれば、請求項１又は２の配線・配管保護部材の効果に加えて、筒体の一端側接続口には、蛇腹部側に端部よりも小径筒となった段部が備えられるとともに、他の筒体の他端側接続口内に内挿可能であり、他端側接続口は、その端部側に上記段部に掛止め可能な掛止部が設けられているので、これら筒体の接続口における掛止め機構により、定尺の筒体の接続口に他の筒体の接続口を新たな連結具を要することなく、容易に抜け止め状態で連結することができる。
【００２２】
請求項４に記載の配線・配管保護部材によれば、請求項１〜３のいずれかに記載の配線・配管保護部材の効果に加えて、筒体の一端側接続口は、他の筒体の他端側接続口に内挿して接続すべく内方へと圧縮変形が可能であるので、前述した請求項３に係る配線・配管保護部材における筒体同士の接続作業を、より一層容易なものにすることができる。
【００２３】
請求項５に記載の配線・配管保護部材によれば、請求項１〜４のいずれかに記載の配線・配管保護部材の効果に加えて、連結具は、建物壁等に固定される固定部を備えた基台と、この基台に組み立てられる蓋体とからなるので、連結具の建物壁等への固定に際しては、まず基台を建物壁等に固定することとなり、次の蓋体の基台への組み立て作業が容易になる。
【００２４】
請求項６に記載の配線・配管保護部材によれば、請求項１〜５のいずれかに記載の配線・配管保護部材の効果に加えて、連結具の第１受け口の奥方には、内挿された保護カバー端面に当接して所定以上の入り込みを規制する規制当接部が設けられているので、連結具への保護カバーの接続作業が容易になる。
【００２５】
請求項７に記載の配線・配管保護部材によれば、請求項１〜６のいずれかに記載の配線・配管保護部材の効果に加えて、筒体の蛇腹部から延出した接続口の軸方向長さは、蛇腹部のピッチの２倍以下の長さであるので、定尺の筒体のいずれか一方の接続口に、他の筒体の接続口を接続しても、接続部に違和感のない自然な状態の筒体の延長が可能となる。
【発明を実施するための最良の形態】
【００２６】
以下、本発明を実施するための最良の形態を、実施例の図面を参照して説明する。
【実施例】
【００２７】
図１及び図２は、本発明に係る配線・配管保護部材の一例に係る全体図で、このうち図１（ａ）は、配線・配管保護部材１の平面図、図１（ｂ）は、正面図である。
【００２８】
図１において、本発明の配線・配管保護部材１の全体構成を説明すると、本発明の配線・配管保護部材１は、筒体２と、この筒体２の両端部に着脱自在に連結される２つの連結具とで構成され、筒体２軸方向の全長はＬである。
【００２９】
筒体２は、内部に挿通された図示しない配線・配管材をその外周から保護するとともに、その屈曲配設経路を形成するためのもので、可撓性を有する。
【００３０】
連結具３は、上記筒体２の両端部において、図５及び図６に示している他の配線・配管材保護カバー４０（以下、保護カバー４０と略称する。）を連結するとともに、その連結部を風雨の侵入や、塵埃の滞積から保護するためのものである。
【００３１】
次に、各構成部材について説明する。
【００３２】
図２（ａ）は、図１の配線・配管保護部材１を構成する筒体２の縦断面図である。
【００３３】
筒体２は、図２（ａ）に示すように、蛇腹部４と、この蛇腹部４の一端側に形成される一端側接続口５と、他端側に形成される他端側接続口６とで構成される。
【００３４】
蛇腹部４は、横断面における内側寸法が高さＨと幅Ｗ（図１（ａ）参照）の長方形に形成された筒体であり、その外面はピッチＰの波状が連続形成されたものである。蛇腹部４の断面形状は、本実施例の長方形状の他、用途に応じて正方形状や、円形状、楕円形状であっても良いし、その外形についても本実施例の波状の他、螺旋状（スパイラル状）であっても良いことは勿論である。
【００３５】
一端側接続口５は、蛇腹部４の一端に設けられており、当該蛇腹部４を前述の連結具３に接続すること及び他の筒体２の他端側接続口６に接続するためのもので、蛇腹部４側に端部の大径筒８よりも小径筒９となった段部１０が形成されている。
【００３６】
上記一端側接続口５に、他の筒体２の他端側接続口６を接続した状態を示したのが図２（ｂ）の拡大縦断面図である。
【００３７】
一方、他端側接続口６は、蛇腹部４の他端に設けられており、当該蛇腹部４を連結具３に接続するためと、他の筒体２の一端側接続口５に接続するためのもので、一端側接続口５の段部１０に掛止め可能な、一端側接続口５の大径筒８の外径よりもやや大きな内径に形成された袋状包囲部１２とこれに連続する他端側の小径口１１とからなる掛止部１３が形成されている。
【００３８】
蛇腹部４と一端側接続口５と他端側接続口６とは、本実施例では同一材質の例えば合成樹脂等のフレキシブルな可撓性材質で一体成形されて筒体２を構成している。
【００３９】
したがって、筒体２全体として、容易に折り曲げや、ある程度の軸方向の伸縮並びに両接続口５、６における縮径化または拡径化が可能である。
【００４０】
なお、蛇腹部４下端の符号１４は、各波部７の横断面形状が「Ｖ字状」に形成された切込みであり、この切込み１４に沿って図示しないナイフの刃先を蛇腹部４の軸方向に入れて切り開くことにより、当該切込みから図示しない配管・配線を筒体２内部に後入れすることができるようになっている。
【００４１】
前述の図２（ｂ）に示したように、この両接続口５、６の接続の際には、両接続口５、６が可撓性材質で構成されているので、例えば一端側接続口５をその内方へと圧縮変形すれば、他の筒体２の他端側接続口６に内挿し、その掛止部１３に掛け止めすることが容易である。 
【００４２】
すなわち、前述した請求項１における「一端と他端にそれぞれ他の筒体の他側端部を接続可能な一端側接続口と他端側接続口とを有し、」とは、本図の如く、「筒体２がその一端に、他の筒体２の他側端部である他端側接続口６を接続可能な一端側接続口５を有すること」と、「筒体２がその他端に、他の筒体２の他側端部である一端側接続口５を接続可能な他端側接続口６を有すること」の両方の接続態様を意味している。
【００４３】
本実施例では、蛇腹部４の一端側接続口５と他端側接続口６とは、筒体２の蛇腹部４から延出した接続口の軸方向長さが蛇腹部４のピッチの２倍以下の長さに形成されている。両接続口５、６の軸方向長さがこの範囲内の長さであると、両接続口５、６の内方への圧縮変形が容易であるばかりでなく、本図の如く、一端側接続口５に他の筒体２の他端側接続口６を接続し、また、後述する図6の如くに折り曲げても、折り曲げ作業が容易で、かつその外観曲線もスムーズで違和感がないからである。
【００４４】
このように、本実施例では一端側接続口５と他端側接続口６については、掛止め構造のためにその断面形状をそれぞれ異なった形状のものにしているが、当該形状は外見上、違和感のない滑らかな形状のものが良い。
【００４５】
なお、両接続口５、６は一端と他端にそれぞれ他の筒体２の他側端部を「接続可能な」ものであればよいので、その他の例えば捻じ込み方式等の形状のものも本発明で言う一端側接続口５及び他端側接続口６の概念に当然含まれる。
【００４６】
次に、図３は、連結具３の分解斜視図である。
【００４７】
図に示すように、連結具３は、図３（ｂ）に示す基台２０と、この基台２０上に組み立てられる図３（ａ）に示す蓋体２１とが一体に連結されて成るもので、いずれも図の右側が筒体２側であり、図の左側が保護カバー４０側である。
【００４８】
基台２０は、建物壁１００Ａ、１００Ｂ（図５参照）等に固定するためのベース的機能を果たす固定部２３と、上部の蓋体２１の連結を行うための立設部２７が固定部２３の両側に対向して形成されている。
【００４９】
固定部２３は、底面が平面状に形成されており、建物壁１００Ａ、１００Ｂ等に固定するためにネジ止め孔２４が筒体軸の横断方向に所定間隔で二個所設けられている。
【００５０】
固定部２３の底面は、保護カバー４０側がくびれて奥方に突き当て面２８を有する。
【００５１】
また、固定部２３の筒体２側には、ここに挿入された蛇腹部４の波部７又は筒体２の両接続口５、６を抜け止め状態に係止するため、高さｈの抜止係止部２５が筒体軸を横断する方向に形成されており、その両端部は立設部２７の内壁面に沿って上端２６にまで達している。
【００５２】
立設部２７の内壁面には、前述の抜止係止部２５の内壁面から奥方に距離Ｓ１の範囲内の凹部３６が形成され、この凹部３６と、上部に位置する後述の蓋体２の上面４１の裏面間とで筒体２の両接続口５、６を抜け止め状態に連結した状態で収容可能にする収容空間４４が形成されている。
【００５３】
そして、凹部３６からさらに奥方に距離Ｓ２だけ入った位置には、後述する蓋体２１の掛止め突片４２の筒体２側側面を規制する突片規制部２９が設けられている。
【００５４】
一方、基台２０の保護カバー４０側端面から距離Ｓだけ奥方に入った位置にも、掛止め突片４２の保護カバー４０側側面を規制する突片規制部２９が設けられている。
【００５５】
また、それぞれの立設部２７のネジ止め孔２４の中心線上で、かつ、底面から所定高さの位置には、後述する蓋体２１の両側面４５から垂下した一対の掛止め突片４２が掛け止めされる被掛止部３０が設けられており、その両側には前述した突片規制部２９が被掛止部３０を挟持する如く位置して、掛止め突片４２の筒体軸方向にズレるのを防止している。
【００５６】
なお、被掛止部３０の横断面形状は、上面４１がネジ孔方向に傾斜する傾斜面３０ａに形成され、その下部は後述する蓋体２１の掛止め突片４２先端の係合爪２９が収容し得る凹部３７が形成されていることにより、略三角形の断面形状に形成されている。
【００５７】
また、立設部２７の筒体軸方向の両側には、後述する蓋体２１の保護カバー４０側凹部３０と、筒体２側凹部３１とにそれぞれ嵌合し合う保護カバー４０側凸部３２と、筒体２側凸部４３とが立設されている。
【００５８】
さらに、保護カバー４０側両側面の表面には、次第に筒体軸方向に傾斜して狭まる基台２０側傾斜面２７ａが、筒体軸方向長さがＷ１の範囲で形成されている。
【００５９】
一方、蓋体２１は、横断面形状が略「コ字状」に湾曲形成された薄肉の文字通りの蓋体であり、上面４１と、これに連続する２つの両側面４５とを有している。
【００６０】
蓋体２１の両側面４５であって、蓋体２１の被掛止部３０位置と対応する位置には、前述した掛止め突片４２が垂下するように設けられており、その垂下長さは両側面の上下高さよりも長く形成され、その先端部の表面側には、基台２０の被掛止部３０に係止し得る係合爪４７が形成されている。
【００６１】
また、両側面４５の内壁面の下部であって、前述した蓋体２１の保護カバー４０側凸部３２と、筒体２側凸部４３とに対応する位置には、これらの凸部と互いに嵌合し合う前述した保護カバー４０側凹部４８と、筒体２側凹部３１とが形成されている。
【００６２】
また、保護カバー４０側端面から距離がＳだけ入った上面４１の裏面位置には、内挿された保護カバー４０端面に当接して所定以上の入り込みを規制する規制当接部３３が設けられている。
【００６３】
さらに、筒体２側端面側の上面４１の裏面位置であって、前述の固定部２３の抜止係止部２５と対応する位置には、筒体２側凹部３１を跨ぐように（筒体軸を横断するように）抜止係止部３２が形成されており、この蓋体２１側の抜止係止部３２と、固定部２３側の抜止係止部２５とで蛇腹部４の波部７又は筒体２の両接続口５、６を抜け止め状態に係止できるようになっている。
【００６４】
一方、掛止め突片４２位置に対応する両側面の表面４９には、基台２０の被掛止部３０に係止中の蓋体２１の掛止め突片４２を取り外すときに、外し易いように掛止め突片４２先端の係合爪４７を、蓋体２１の筒体軸方向に向かって弾性変形させるための押込み部３４が設けられている。
【００６５】
なお、蓋体２１表面の保護カバー４０側は、端面に行くほど固定部２３方向にする傾斜面２８ａ（図１（ｂ））が、基台２０側傾斜面４６ａと連接するように形成されている。
【００６６】
これら基台２０と蓋体２１の材質は、特に限定するものではないが、合成樹脂により成形することにより得られるものである。
【００６７】
かくして得られた基台２０と蓋体２１とが図の二点鎖線で示すように一体に結合されて、連結具３が構成される。その結果、配線・配管材保護カバー４０側（本発明でいう「一方側」）に、配線・配管材保護カバー４０端部が内挿されて連結可能な第１受け口５０が形成され、一方、筒体２側（本発明でいう「他方側」）に、筒体２の端部が内挿されて抜け止め状態に接続可能な開口である第２受け口５１が形成される。
【００６８】
次に、本発明の作用及び効果について説明する。
【００６９】
まず、図４〜図６を参照して、本発明の配線・配管保護部材１の組み立て方法を説明する。ここで、図４（ａ）は、図１（ａ）の配線・配管保護部材１のＡ−Ａ断面図、図４（ｂ）は、図４（ａ）の配線・配管保護部材１の左側面図、図４（ｃ）は、右側面図である。また、図５は、コーナー部における本発明に係る配線・配管保護部材の施工状況の説明図、図６は、本発明に係る配線・配管保護部材１に保護カバー４０aを装着する様子を示した斜視図である。
【００７０】
図４（ａ）に示した定尺寸法の配線・配管保護部材１は、本発明の説明の便宜上、左右一対の連結具３に筒体２を接続した後のもので、内部に挿通される配線・配管類は図示を省略したものである。
【００７１】
しかし、実際の施工時においては、通常、直管状の配線・配管保護部材４０を先に施工し、コーナー部等の蛇腹部４の施工は、左右から施工してきた直管状の配線・配管保護部材４０の取り付け後に行なわれることが多い。したがって、図４（ａ）の状態となる前には、本図の左右一対の連結具３のそれぞれには、既に二点鎖線で示す配線・配管保護部材４０が例えば建物壁１００等に沿って先に固定され、内部に図示しない配線・配管類が挿通されている。
【００７２】
したがって、ここでは図５に示したコーナー部における本発明に係る配線・配管保護部材の組み立て方法（施工方法）の説明をする。
【００７３】
図５に示すように、まず、建物壁等の直交二壁面の左側壁面１００Ａにおいて、保護カバー４０ａが図示しないネジで固定されているものとする。次に、左側連結具３の基台２０を保護カバー４０a内に蓋２１内の規制当接部３３（図３（ａ）参照）に当接するまで差し込み、ネジ３５により固定する。
【００７４】
一方、左側壁面１００Ｂにおいても同様にして、右側連結具３の基台２０をネジ３５にて固定する。次に、保護カバー４０ｂを図の矢印のように差し入れ、蓋２１内の規制当接部３３に当接するまで差し込み、図示しないネジで側壁面１００Ｂ上に固定する。
【００７５】
次に、左右の連結具３の抜止係止部２５（図３（ｂ）参照）間に係止し得る長さの筒体２を、その波部７が当該抜止係止部２５に係合するように装着する。次に、左右の保護カバー４０ａ、４０ｂのいずれか一方の中に図示しない例えば光ファイバー等の配線を挿通し、最後に左右の連結具３の蓋体２１を基台２０上に装着する。この場合の本発明の配線・配管保護部材の両接続口５、６と、連結具３の第２受け口５１との係合状態は、図３（ａ）の断面図の如くになる。
【００７６】
すなわち、筒体２の一端側接続口５の段部が収容空間４４内に位置し、かつ、蛇腹部４の波部７間に抜止係止部２５が係止した状態で、上部から蓋体２１をその掛止め突片４２や、筒体２側凹部３１及び保護カバー４０側凹部４８のそれぞれが、基台２０側の被掛止部３０や筒体２側凸部４３、４３及び保護カバー４０側凸部３２、３２のそれぞれと係合される。
【００７７】
よって、それぞれの連結具３の第２受け口５１に挿入された筒体２の両接続口５、６は、その蛇腹部４が右側連結具３の抜止係止部２５によって係止されているので、筒体軸方向に抜け止め状態となる。
【００７８】
この状態で図１及び図４に示した本発明の定尺寸法の配線・配管保護部材１が組み立てられたことになる。
【００７９】
以上の施工方法が基本であるが、場合によっては図６に示すように、左側壁面１００Ａに固定及び組み立て済みの本発明の配線・配管保護部材１の連結具３の第１受け口５０に、保護カバー４０ａを図の矢印方向に差し入れて固定しても良い。
【００８０】
なお、筒体２内部に配線・配管を挿通する場合、前述したように蛇腹の腹をナイフで切り開いて後付けしても良い。
【００８１】
本実施例では保護カバー４０としては、図に示すような上下から一体に連結可能な直状体を用いている。また、内部に挿通する配線としては、光ファイバーであるが、勿論、保護カバー４０をダクト等とし、内部に前述した冷媒配管・電気配線等を挿通してもよく、さらに他のものであっても良い。
【００８２】
ところで、従来技術の欄で前述したように、配線・配管保護部材配設作業の途中においては、図６に示したようにコーナー部において、蛇腹部４が施工現場の要求する長さに一致する場合は良いが、ときには蛇腹部４の長さを切り縮めたり、長くして適宜の長さのものに調整する必要がある。
【００８３】
これに対する本発明の対応方法を図示したのが次の図７及び図８の断面図である。すなわち、図７は、コーナー部において、蛇腹部４の施工長さが足りず、延長する場合の対応方法を説明した断面図で、このうち図７（ａ）は、延長前における全長がＬの定尺寸法の本発明の配線・配管保護部材１の断面を示し、図７（ｂ）は、定尺の本発明の配線・配管保護部材１の筒体２の他端側接続口６に、他の筒体２の一端側接続口５を接続して延長し、その他端側接続口６を適宜の長さに切り落とし、左側連結具３の第２受け口５１内に接続したものである。
【００８４】
この接続方法によれば、図の右側連結具３においては、図４（ａ）で前述したとおりの接続方法となっており、また、筒体２の継ぎ足し部においても図２（ｂ）で前述したとおりの接続方法となっているので、その説明は省略するが、左側連結具３においては、これらの接続部に用いている一端側接続口５及び他端側接続口６が存在しない。しかし、この場合においても左側連結具３の第２受け口５１には、蛇腹部４の波部７間に抜止係止部２５が位置して蛇腹部４を抜け止め状態に係止しているから問題はない。
【００８５】
一方、図７（ｃ）は、筒体２の一端側接続口５側を適宜の長さに延長する場合を示すものであるが、この場合も図２（ｂ）の場合と同様に蛇腹部４の端部を適宜の長さに切断したうえで、右側連結具３に抜け止め状態に連結することができる。以上は、本発明の説明の便宜上、筒体２の左右を延長できることを説明したのであるが、接続口をいずれの側に位置させるかにこだわらなければ、配線・配管保護部材１Ａ、２Ａ全体の向きを左右に反転させれば同様の結果となる。
【００８６】
かくして、図７（ａ）の当初寸法が定尺寸法の本発明の配線・配管保護部材１は、施工場所の状況に応じて、図７（ｂ）の蛇腹部４がより長い長さＬ１（Ｌ１＞Ｌ）の保護部材に延長したり、図７（ｂ）よりは短いが図７（ａ）のものよりは長い長さＬ２（Ｌ１＞Ｌ２＞Ｌ）の図７（ｃ）のものに延長したりすることができる。
【００８７】
一方、筒体２を切り縮めて短くする場合には、図８（ａ）の定尺寸法の本発明の配線・配管保護部材１に対し、筒体２の蛇腹部４をナイフで切断して、図８（ｂ）や、図８（ｃ）の如くの筒体２の長さが適宜の短い寸法のものＬ３、Ｌ４（Ｌ＞Ｌ３＞Ｌ４）に調整することができる。
【００８８】
実施例（図）に示すように、連結具内に接続口の全体が収容されているため、連結具に筒体を接続した状態において、連結具から露出する筒体は、蛇腹部のみであり、屈曲の妨げとならないように収容されている。但し、屈曲の妨げとならない範囲であれば、収容される接続口は軸方向の一部であっても良いが、略全体が収容されることが望ましい。
【００８９】
また、図７（ａ）の左側の連結具に示すように、抜止係止部は接続口と蛇腹部の境界に配置されて接続口に係止しても良く、また、同図右側の連結具に示すように、接続口を抜止係止部に対してより奥方へと配置させて、抜止係止部を蛇腹部に係止させるように構成しても良い。
【００９０】
以上の説明は一実施例に過ぎず、本発明の技術的思想の範囲内で種々の実施形態のものを採用することができ、これらの形態のものも本発明の範囲内に含まれることは勿論である。
【００９１】
例えば、本実施例においては、抜止係止部２５を切断した際に蛇腹部４に抜止状態に係止する蛇腹部４の係止部と、筒体２端部を接続した際に抜止状態に係止する筒体の係止部とが兼用されているが、連結具３の軸方向の離れた２個所のそれぞれに係止部が独立して備えられていても良い。
【００９２】
また、本発明の配線・配管保護部材は、「筒体の蛇腹部の端部を抜け止め状態に接続可能」でありさえすれば良いので、連結具３の第２受け口５１と筒体２間の接続は、特に抜止係止部２５を設けなくても本発明のように何らかの係止状態があればよく、筒体軸方向の特別な抜け止め手段は必要がない。同様の観点から収容空間４４についても同じことが言える。
【００９３】
また、接続口は、その端部を一部切除することにより接続可能な接続口を露出しても良い。また、第１受け口５０に第２受け口５１の抜止係止部２５を設けて、筒体２どうしが連結できても良い。
【図面の簡単な説明】
【００９４】
【図１】本発明に係る配線・配管保護部材の一例を示すもので、図１（ａ）は、全体構成の平面図、図１（ｂ）は、その左側面図である。
【図２】図２（ａ）は、図１の配線・配管保護部材を構成する筒体部の縦断面図、図２（ｂ）は、その一端側接続口と他端側接続口とを接続した場合の縦断面図である。
【図３】図１の配線・配管保護部材を構成する連結具の分解斜視図である。
【図４】図４（ａ）は、図１（ａ）の配線・配管保護部材１のＡ−Ａ断面図、図４（ｂ）は、図４（ａ）の配線・配管保護部材１の左側面図、図４（ｃ）は、右側面図である。
【図５】コーナー部における本発明に係る配線・配管保護部材の施工状況の説明図である。
【図６】本発明に係る配線・配管保護部材に保護カバーを装着する斜視図である。
【図７】本発明に係る配線・配管保護部材の筒体部を延長する場合の縦断面図で、このうち図７（ａ）は、延長前の本発明の配線・配管保護部材の縦断面、図７（ｂ）及び図７（ｃ）は延長後の縦断面図である。
【図８】本発明に係る配線・配管保護部材の筒体部を短縮する場合の縦断面図で、このうち図８（ａ）は、延長前の本発明の配線・配管保護部材の縦断面、図８（ｂ）及び図８（ｃ）は短縮後の縦断面図である。
【符号の説明】
【００９５】
１、１Ａ、２Ａ、１Ｂ、２Ｂ    配線・配管保護部材
２    筒体
３    連結具
５    一端側接続口（他側端部）
６    他端側接続口（他側端部）
２０  基台
２１  蓋体
２５  抜止係止部
２７  立設部
３０  被掛止部
４１  上面
４２  掛止め突片
４４  収容空間
４５  側面
５０  第１受け口
５１  第２受け口
【図１】
2010065735.tif 000003
【図２】
2010065735.tif 000004
【図３】
2010065735.tif 000005
【図４】
2010065735.tif 000006
【図５】
2010065735.tif 000007
【図６】
2010065735.tif 000008
【図７】
2010065735.tif 000009
【図８】
2010065735.tif 000010